(57)【要約】  【課題】けんどん方式でパネルを着脱するようにしても、パネルの厚み方向の反りを防止でき、壁面の連続性も担保できるようにした間仕切装置を提供する。【解決手段】パネル３の側縁を支柱１に掛け止め、パネル３の上下縁をけんどん方式で支柱１，１間に配置した横枠２に沿って取り付けるにあたり、横枠２の上方に配置されるパネル３の下縁との間および横枠２の下方に配置されるパネル３の上縁との間に、パネル厚み方向に重合してその外側へのパネルの変形を規制する重合部Ｘ１，Ｘ２を、パネル厚み方向へ変位した位置にそれぞれ設け、少なくともパネル着脱時にこれらの重合部Ｘ１，Ｘ２の高さ位置が重なるように構成した。  【選択図】図３
2008121268.tif 000002
【特許請求の範囲】
【請求項１】
パネルの側縁を支柱に掛け止め、パネルの上下縁をけんどん方式で支柱間に配置した横枠に沿って取り付けるようにし、横枠と上パネルの下縁との間および横枠と下パネルの上縁との間に、パネル厚み方向に重合してその外側へのパネルの変形を規制する重合部を、当該パネル厚み方向へ変位した位置にそれぞれ設け、少なくともパネル着脱時にこれらの重合部の高さ位置が重なるように構成したことを特徴とする間仕切装置。
【請求項２】
重合部が、横枠側に設定した内向部にパネル側に設定した外向部が密接に添接する構造をなす請求項１記載の間仕切装置。
【請求項３】
横枠の内向部にパネルの外向部を押し当てるための当たり部が重合部以外の位置に設けてある請求項２記載の間仕切装置。
【請求項４】
横枠の上下方向の厚み内において、下パネルと重合する内向部および上パネルと重合する内向部を、パネル厚み方向に沿って異なる位置に一部高さ位置が重なるように設けている請求項１〜３記載の間仕切装置。
【請求項５】
横枠の見付け側となる外壁の上下寸法内において、パネルと重合する内向部および上パネルと重合する内向部を、パネル厚み方向に沿って異なる位置に一部高さ位置が重なるように設けている請求項４記載の間仕切装置。
【請求項６】
下パネルと重合する内向部には横枠の厚み寸法に近い領域が確保してある請求項４または５記載の間仕切装置。
【請求項７】
下パネルと横枠の関係において、少なくとも内向部又は外向部の一方が面であり、他方との摺動を通じて重合部がパネル着脱時のガイドを兼ねる請求項４〜６記載の間仕切装置。
【請求項８】
内向部又は外向部のいずれか他方が突条である請求項７記載の間仕切装置。
【請求項９】
横枠と上パネルとの重合が、横枠と下パネルとの重合よりも浅くなるように設定している請求項１〜８記載の間仕切装置。
【請求項１０】
パネルに凹部を設けて横枠を収容し、その凹部内で重合構造を実現するようにしている請求項１〜９記載の間仕切装置。
【請求項１１】
パネルが支柱に爪部材を介して支持させてあり、パネル間の目地には、上パネルを持ち上げて始めて下パネルの爪部材を支柱から外せるに足る動き代が形成されるようにしている請求項１〜１０記載の間仕切装置。
【請求項１２】
パネルが、面材を上枠及び下枠で支持するようにしたものであり、これらの上枠及び下枠と横枠との間に重合部を形成している請求項１〜１１記載の間仕切装置。
【請求項１３】
面材がガラス基材である請求項１２記載の間仕切装置。
【発明の詳細な説明】
【技術分野】
【０００１】
本発明は、オフィスやホール等において好適に使用される間仕切装置に関するものである。
【背景技術】
【０００２】
間仕切装置は、床と天井の間を間仕切るべく、床に配置した巾木と天井に固定した天井レールとの間に取り付けられる。その際、巾木と天井との間に支柱を立て、支柱間に中間枠となる横枠を取り付けて、横枠に沿ってけんどん方式でパネルを支柱に対して着脱可能に取り付け、一部のパネルの中抜きを可能とする構造等も採用されている。特許文献１等には、けんどん方式を採用したパネル取付構造が示されている。
【特許文献１】特開２００５−１３９６８１号公報
【発明の開示】
【発明が解決しようとする課題】
【０００３】
しかしながら、パネルを支柱に掛け止めるとはいえ、中抜きを可能とする上でパネルの上下端と横枠との間に何らの配慮もしなければ、パネルの厚み方向の拘束がないために中央部が厚み方向に反り易く、平面感の低下につながる。特に光が反射したような場合には、見栄えの悪さが顕著に露呈する。
【０００４】
そこで、横枠とパネルとの間に反り防止のために厚み方向の重合部を設けておくことが考えられるが、横枠の上下の同じ奥行き位置に上下のパネルとの重合部を直列に形成すると、下のパネルをけんどんで抜くときには重合は経過的により深くなるので、その重合に見合う寸法を確保し、その上に上パネルとの反り防止のための重合領域も確保するとなると、重合寸法が上下に累積して横枠が厚くなり、またその分だけパネル間にできる目地も必要以上に大きくなって、パネル面の連続性の低下につながることになる。パネルに凹部を設けて横枠を収容し、その凹部内で重合構造を実現するように構成することも考えられるが、パネルがガラス基材を用いたものである場合等には横枠が透視されるため、全面ガラス張りの印象を得るためにはやはり横枠の厚みを小さくすることが不可欠であり、何らかの対策が必要になる。
【０００５】
本発明は、このような課題に着目してなされたものであって、けんどん方式でパネルを着脱するようにしても、パネルの厚み方向の反りを的確に防止することができ、しかもそのための構造によって壁面の連続性の低下につながる横枠の大型化や目地の拡幅を有効に防止し得るようにした間仕切装置を提供することを目的としている。
【課題を解決するための手段】
【０００６】
本発明は、かかる目的を達成するために、次のような手段を講じたものである。
【０００７】
すなわち、本発明の間仕切装置は、パネルの側縁を支柱に掛け止め、パネルの上下縁をけんどん方式で支柱間に配置した横枠に沿って取り付けるようにし、横枠と上パネルの下縁との間および横枠と下パネルの上縁との間に、パネル厚み方向に重合してその外側へのパネルの変形を規制する重合部を、当該パネル厚み方向へ変位した位置にそれぞれ設け、少なくともパネル着脱時にこれらの重合部の高さ位置が重なるように構成したことを特徴とする。
【０００８】
このように構成すると、横枠と上パネルとの間、及び横枠と下パネルとの間にそれぞれ重合部を設けても、それらの重合部が変位していることで、重合部の寸法が上下に累積することが回避される。このため、パネルの反りを防止するための重合部がパネル着脱時に経過的により深く重合することを見込んだとしても、横枠が大型化することを有効に防止することができる。また、横枠が薄くなることでパネル間の目地も小さくなる。この結果、本発明によると、パネルをけんどん方式で中抜きできるように構成しても、パネル面の連続性を有効に担保することが可能となる。
【０００９】
重合部を実効あらしめるためには、横枠側に設定した内向部にパネル側に設定した外向部が密接に添接する構造をなしていることが望ましい。
【００１０】
特に、横枠の内向部にパネルの外向部を押し当てるための当たり部を重合部以外の位置に設けておくことが効果的である。
【００１１】
横枠の見え掛かりを良好にするためには、横枠の上下方向の厚み内において、下パネルと重合する内向部および上パネルと重合する内向部を、パネル厚み方向に沿って異なる位置に一部高さ位置が重なるように設けておくことが好ましい。
【００１２】
より端的には、横枠の見付け側となる外壁の上下寸法内において、パネルと重合する内向部および上パネルと重合する内向部を、パネル厚み方向に沿って異なる位置に一部高さ位置が重なるように設けておくようにすれば確実に上記の効果が奏される。
【００１３】
横枠の薄肉化を図るためには、下パネルと重合する内向部に横枠の厚み寸法に近い領域を確保しておくことが望ましい。
【００１４】
上記の構造を利用してパネル脱着時の操作性向上を図るためには、下パネルと横枠の関係において、少なくとも内向部又は外向部の一方が面であり、他方との摺動を通じて重合部がパネル着脱時のガイドを兼ねるようにしておくことが好適である。
【００１５】
特に、内向部又は外向部のいずれか他方を突条としておくことが好都合である。
【００１６】
けんどん方式に適した横枠の薄肉化のためには、横枠と上パネルとの重合が、横枠と下パネルとの重合よりも浅くなるように設定しておくことが好ましい。
【００１７】
横枠の見付け寸法を抑えるためには、パネルに凹部を設けて横枠を収容し、その凹部内で重合構造を実現するようにしておくことが効果的である。
【００１８】
パネルの脱落防止を図りつつ、パネルの連続性を確保し、しかも中抜きを有効に実現するためには、パネルを支柱に爪部材を介して支持させ、パネル間の目地に、上パネルを持ち上げて始めて下パネルの爪部材を支柱から外せるに足る動き代が形成されるようにしておくことが望ましい。
【００１９】
搬送や施工に係る作業効率やコストの見直しのためには、パネルが、面材を上枠及び下枠で支持するように構成し、これらの上枠及び下枠と横枠との間に重合部を形成するようにしておくことが効果的である。
【００２０】
本発明の好適な適用例としては、面材がガラス基材であるものが挙げられる。
【発明の効果】
【００２１】
本発明は、以上説明した構成であるから、けんどん方式でパネルを着脱するようにしても、パネルの厚み方向の反りを的確に防止することができ、しかもそのための構造によって壁面の連続性の低下につながる横枠の大型化や目地の拡幅を有効に防止して、横枠や目地が目立たず、パネル面に高い連続性が得られるようにした優れた間仕切装置を提供することが可能となる。
【発明を実施するための最良の形態】
【００２２】
以下、本発明の一実施形態を、図面を参照して説明する。
【００２３】
この実施形態は、図１に示すように、壁面全体をパネル３で構成するようにした間仕切装置である。
【００２４】
この間仕切装置は、図１及び図２に示すように、オフィスやフロアー等の室内空間を間仕切るべく、床Ｆに配置した巾木４と天井Ｃに固定した天井レール５との間に支柱１を立て、支柱1間に横枠２を取り付けて、けんどん方式でパネル３を着脱可能として、一部のパネル３の中抜きを可能とするものである。けんどん方式とは、先ずパネル３を若干傾けて上に位置する横枠２に対し図２に矢印Ａ１で示すように先にパネル３の上縁を差し込み、次にパネル３を鉛直姿勢に保持して下に位置する横枠２に矢印Ａ２で示すようにパネル３の下縁を載せ置くようにして取り付ける方式をいう。
【００２５】
パネル３は、図３及び図４に示すように、面材であるガラス基材３１の上下両縁にそれぞれ枠材である上枠３２及び下枠３３を、また図５及び図６に示すように当該ガラス基板３１の左右の側縁にそれぞれ枠材である縦枠３４を取り付けたものである。そして、このパネル３を、詳細は後述するが支柱1に設けた掛け止め部１１に縦枠３４に設けた爪部材３５を係り合わせるようにしており、これにより正面側及び裏面側から対をなすパネル３を掛け止めて、全体で両面ガラス構造の間仕切を構成するようにしている。
【００２６】
図７及び図８は最下段に配置されるパネル３と巾木４との係り合いの構造を、図９及び図１０は最上段に配置されるパネル３と巾木４との係り合いの構造を示している。上記図２〜図４は横枠２と当該横枠２の上下に隣接するパネル３との係り合いの構造を示したものであり、上記図５及び図６はパネル３を構成する縦枠３４の支柱1への取付構造を示したものである。
【００２７】
先ず、図７及び図８等を参照して、最下段に配置されるパネル３と巾木４との係り合いの構造について説明する。巾木４は、床Ｆに置き敷かれる上向チャネル状の内巾木部材４１に図示しないアジャスタを介して上面に凸条４２ａを有する外巾木枠材４２を嵌合させ、この外巾木枠材４２の上部に下向溝４３ａを有する補助取付材４３を当該補助取付材４３に設けた下向溝４３ａを前記突条４２ａに嵌め合わせて固定したもので、この補助取付材４３の端部からは立片４３ｂが起立している。これに対して、最下段のパネル３を構成する下枠３３は、ガラス基材３１の下縁近傍の裏面を保持する裏面保持部３３ａと、ガラス基材３１の下縁の小口を保持する小口保持部３３ｂと、巾木４の上面に垂下する垂下片３３ｃ１を有する接地部３３ｃからなり、接地部３３ｃから裏面保持部３３ａに亘る部位に、ガラス基材３１の背後において当該ガラス基材３１の下端よりも高い位置にまで巾木４を受容する凹部３３ｘが形成してある。そして、この凹部３３ｘを巾木４に被せるように取り付けることによって、ガラス基材３１の下縁を巾木４の側面４ａに一部被るように位置づけるようにしている。その際、下枠３３の下端から床Ｆまでの間に極力隙間が残らないようにすべく、ガラス基材３１で巾木４の上下方向の過半部（半分以上）を覆い得るように設定している。
【００２８】
次に、図９及び図１０等を参照して、最上段に配置されるパネル３と天井レール５との係り合いの構造について説明する。天井レール５は、天井Ｃに固定される下向チャネル状の外レール部材５１の所定位置に部分チャネル状をなす内レール部材５２を嵌合させたもので、その内レール部材５２の側壁５２ａは外レール部材５１の側壁５１ａよりも下方にまで垂下させてある。これに対して、最上段のパネル３を構成する上枠３２は、ガラス基材３１の上縁近傍の裏面を保持する裏面保持部３２ａと、ガラス基材３１の上縁の小口を保持する小口保持部３２ｂと、天井レール５の開口に一部を呑み込ませるようにして係り合わせることの可能な立片３２ｃ１を有する差し込み部３２ｃとからなり、立片３２ｃから裏面保持部３２ｂに亘る部位に、ガラス基材３１の背後において当該ガラス基材３１の上端よりも低い位置にまで天井レール５を受容する凹部３２ｘが形成してある。そして、前記立片４２ｃを天井レール５に呑み込ませるように取り付けることによって、ガラス基材３１の上端を天井レール５の側面５ａに一部被るように位置づけるようにしている。その際、上枠３２の上端から天井Ｃまでの間に極力隙間が残らないようにすべく、ガラス基材３１で天井レール５の上下方向の過半部（半分以上）を覆い得るように設定している。
【００２９】
なお、この実施形態のガラス基材３１には、２枚のガラス板材３１ａ、３１ｂを貼り合わせた、いわゆる合わせガラスを使用している。そして、これを上枠３２や下枠３３で支持するにあたり、図７〜図１０に示すように両ガラス板材３１ａ、３１ｂの間に内側の板材３１ａが外側の板材３１ｂに比して大となる段差が設けてある。そして、上枠３２及び下枠３３の小口保持部３２ｂ、３３ｂに設けた凹溝３２ｄ、３３ｄに内側のガラス板材３１ａを嵌め込むと同時に、小口保持部３２ｂ、３３ｂのうち凹溝３２ｄ、３３ｄの外側に位置する外面３２ｂ１，３３ｂ１と外側のガラス板材３１ｂの表面３ａとを面一となるように設定している。
【００３０】
そして、パネル３を巾木４に取り付けた図７の状態において、凹部３３ｘ内には巾木４の立片４３ｂを外側、下枠３３の垂下片３３ｃ１を内側として両者間にパネル厚み方向の係り合い部Ｙ１が形成され、またパネル３を天井レール５に取り付けた図９の状態において、凹部３２ｘ内には天井レール５を構成する内レール部材５２の側壁５２ａを外側、上枠３２の立片３２ｃを内側として両者間にパネル厚み方向に重合する係り合い部Ｙが形成されるようにしている。
【００３１】
また、図３及び図４等を参照して、中間部に配置されるパネル３と当該パネル３の取付先である横枠２との係り合いの構造について説明する。その際、パネル３が図２、図５及び図６に示したように巾方向両側縁を支柱1に掛け止め、パネル３の上下縁をけんどん方式で支柱１、１間に配置した横枠２に沿って取り付けられる点は上述したところである。そして、このようなけんどん方式にも関わらずパネル３の巾方向中央が前方に膨らむことを防止するために、パネル３の上下両縁を横枠２にパネル厚み方向に重合させて、パネル３の厚み方向外側への変形を規制するようにしている。
【００３２】
先ず横枠２は、図３及び図４に示すように全体がほぼ等厚に押出し成型されたもので、支柱1の奥行き寸法Ｄに合致する奥行き寸法を有し、その奥行き方向の両面に見付け面となる外壁２１を有している。これを、構造的に一対の外壁２１の中間部間を水平部２２を介して連結したものと見なした場合、水平部２２の下側には、外壁２１，２１間に下向きの垂下片２３が２箇所に設けられ、それら外壁２１と垂下片２３との間に３条の溝２４ａ、２４ｂ、２４ａを形成している。一方、水平部２２の上方には中央に前記溝２４ｂの溝底を一部深くするための突条２５が設けられ、この突条２５と外壁２１との間に２条の溝２６ａ、２６ａを形成している。
【００３３】
これに対して、例えば中段に配置されるパネル３を保持する上枠３２は、ガラス基材３１の上縁近傍の裏面を保持する裏面保持部３２ｐと、ガラス基材３１の上縁の小口を保持する小口保持部３２ｑとを有し、ガラス基材３１の背後において当該ガラス基材３１の上縁よりも低い位置にまで横枠２を受容する凹部３２ｒを形成している。この凹部３２ｒの底壁には、横枠２の溝２４ｂを形成する垂下片２３の内向面に対し、これに接触するような外向きの突条３２ｓを有する突片３２ｔが設けてあり、これら垂下片２３の内向面と外向きの突条３２ｓとが、上枠３２と横枠２とを厚み方向に重合させる本発明の重合部Ｘ１を形成している。この重合部Ｘ１の重合状態を実効あらしめるべく、上枠３２に設けた裏面保持部３２ｐの内向面が横枠２の外壁２１の外面に緊密に添接するように設定している。
【００３４】
また、下枠３３は、ガラス基材３１の下縁近傍の裏面を保持する裏面保持部３３ｐと、ガラス基材３１の下縁の小口を保持する小口保持部３３ｑとを有し、ガラス基材３１の背後において当該ガラス基材３１の下縁よりも高い位置にまで横枠２を受容する凹部３３ｒを形成している。この凹部３３ｒの上壁には、横枠２の外壁２１の内向面に接触する外向面３３ｓが設けてあり、これら外壁２１の内向面と横枠２の外向面３３ｓとが、下枠３３と横枠２とを厚み方向に重合させる本発明の重合部Ｘ２を形成している。この重合部Ｘ２の重合状態を実効あらしめるべく、下枠３３に設けた裏面保持部３３ｐの内向面が横枠２の外壁２１の外面に緊密に添接するように設定している。また、外向面３３ｓの奥側は、横枠３の溝２６ａに嵌まり込んでパネル３を実質的に支持する突条３３ｍになっている。
【００３５】
すなわち、ある位置にある横枠２を水平方向から見た場合、けんどん方式で下パネル３を外すために当該パネル３を持ち上げると、上枠３の立片３２ｔが横枠２の垂下片２３の内側を上方へ移動するに伴って、重合部Ｘ１は横枠２と上パネル３の下枠３３との重合部Ｘ２に対して高さ位置が重なる関係に設定してある。しかしながら、パネル厚み方向（図３の紙面左右方向）に沿ってこれらの重合部Ｘ１、Ｘ２が図示のように互いに変位する位置に設けてあるため、両重合部Ｘ１、Ｘ２が干渉することが回避されている。換言すると、重合部Ｘ１，Ｘ２を上下に直列に形成したならば、けんどんに必要な上下のパネル３のストロークを加算した分だけ横枠２が大型化するところ、これらの重合部Ｘ１，Ｘ２の位置を奥行き方向に分散したことで横枠２の大型化、つまり見付けの大型化が回避され、横枠２が大きくなり見苦しいという横枠２それ自体の外観上の不具合や、横枠２が大きく露出して全面ガラスの連続感がなくなるという横枠２に起因したパネルの外観上の不具合が解消されている。
【００３６】
この場合、下枠３３と横枠２との重合部Ｘ２が、上枠３２と横枠２との重合部Ｘ１よりも浅くなるように設定している。下枠３３は重合部Ｘ２において横枠２に引っ掛かっている状態からけんどんによるパネル抜脱時に重合部Ｘ２は外れるだけでよいのに対して、上枠３２はパネル抜脱時に一時的に重合部Ｘ１の呑み込みがより深くなる必要があるからである。下枠３３の外向面３３ｓは裏面保持部３３ｐとの間に横枠２の外壁２１を緊密に差し込む溝３３ｔ（図４参照）を形成している。
【００３７】
そして、この中段のパネル３の場合も、ガラス基材３１を構成する両ガラス板材３１ａ、３１ｂの間に内側が大となる段差を設けていることに対応して、上枠３２及び下枠３３の小口保持部３２ｑ、３３ｑに設けた凹溝３２ｕ、３３ｕに内側のガラス板材３１ａを嵌め込み、小口保持部３２ｑ、３３ｑの外面３２ｑ１，３３ｑ１と外側のガラス板材３１ｂの表面３ａとが面一となるように設定している。
【００３８】
さらに、図５及び図６等を参照して、パネル３の縦枠３４を支柱1に取り付ける構造について説明する。縦枠３４は、ガラス基材３１の側縁に沿った裏面を保持する裏面保持部３４ａと、ガラス基材３１の側縁の小口を保持する小口保持部３４ｂと、ガラス基材３１の背後において漸次パネル３の幅方向中央に傾斜しつつ支柱1への取付部分を覆う化粧枠部３４ｃとからなるもので、裏面保持部３４ａと化粧枠部３４ｃとの境界部分に突条３４ｄが設けてあり、この突条３４ｄと裏面保持部３４ａとの入隅部が支柱1のコーナー部に突き当てられるようにしている。前記突条３４ｄには、偏平な取付用溝３４ｚが形成してある。
【００３９】
そして、支柱1の内面に、平断面略コ字型をなしその側板上部に一対の凸状の掛け止め部１１ａを有する取付具１１を固定し、前述した取付用溝３４ｚの長手方向所定位置に、支柱1側に上下一対の係り合い部３５ａを持ち出すようにして爪部材３５を固定して、爪部材３５の係り合い部３５ａを支柱1の取付部１１に設けた掛け止め部１１ａに正面側及び裏面側から掛け止めることによって、図３等に示すように一対のパネル３を二重構造で支柱1に支持させ得るようにしている。パネル３は背合わせに枠材の内方端同士を突き合わせた状態で配置される。
【００４０】
なお、図３及び図４に示した上枠３２及び下枠３３にも前記取付溝３４ｚに対応する位置に取付溝３２ｚ、３３ｚが設けてあり、取付溝３２ｚ、３４ｚ間、および取付溝３３ｚ、３４ｚ間にそれぞれＬ字状の連結具が差し込まれて、縦枠３４と下枠３２及び上枠３３との連結がなされる。
【００４１】
以上のようにして、例えば中段のパネル３を一対の横枠２、２の間から取り外す際には、図３の状態から先ず図１１に矢印Ａ３で示すようにパネル３を持ち上げて上枠３２の立片３２ｔを突条３２ｓとともに横枠２の垂下片２３の内向面に摺動させつつ当該横枠２の溝２４ｂ内に経過的に呑み込ませ、かつ上枠３２の溝３３ｔ内に横枠２の外壁２１を経過的に飲み込ませる。このとき、下枠３３の溝３３ｔが横枠２の外壁２１の内向面との重合を解除し且つ下枠３３の突条３３ｍが横枠２の溝２６ａから離脱する位置まで移動させる。そして、同図中矢印Ａ４で示すようにパネル３をやや傾けて下枠３３を横枠２の外側方に持ち出し、さらに矢印Ａ５で示すようにパネル３を降下させ、上枠３２の立片３２ｔを突条３２ｓとともに横枠２の溝２４ｂから離脱させ、かつ上枠３２の溝３２ｒから横枠２の外壁２１を離脱させれば、パネル３を上下の横枠２，２間から中抜きすることができる。再度パネル３を嵌め込むときには、これと逆の手順に従う。
【００４２】
その際、下パネル３の上縁と上パネル３の下縁との間に存する目地の寸法と、パネル３の爪部材３５の係り合い部３５ａが支柱１に設けた取付具１１の掛け止め部１１ａから外れるための移動寸法との間には次の関係が設定されている。すなわち、図１２（ａ）に示すように上パネル３が所定取付位置にあるときに下パネル３を上方へ移動させた場合、その上縁が上パネル３の下縁に突き当たった段階で爪部材３５の係り合い部３５ａが取付具１１の掛け止め部１１ａから完全には離脱できないためにパネル３を外すことができず、このとき図１２（ｂ）に示すように上パネル３を所定取付位置から先に上方に持ち上げておくことにより始めて、爪部材３５の係り合い部３５ａを取付具１１の掛け止め部１１ａから離脱させてパネル３を支柱1から外すに足る動き代が形成されるようにしている。
【００４３】
ここで、パネル３の側縁におけるガラス基材３１と縦枠３４との取付構造について説明しておく。この実施形態では、ガラス基材３１を縦枠３４に取り付けるに際して、図５、図６及び図１３に示すようにガラス基材３１の側縁に沿った裏面３１ｖと縦枠３４の裏面保持部３４ａの前面３４ａ１との間、及び、ガラス基材３１の側縁の小口３１ｗと縦枠３４の小口保持部３４ｂの内面との間を、それぞれ適宜の素材からなる透明ないし半透明の両面テープＴ１，Ｔ２を介在させて接着している。
【００４４】
ガラス基材３１の小口３１ｗ側に貼り付ける両面テープＴ２は、内側のガラス板材３１ａの小口３１ｗでほぼ終り、外側のガラス板材３１ｂの小口３１ｗには深くは入り込まないように貼り付けられる。そして、その外側のガラス板材３１ｂの小口３１ｗには、小口保持部３４ｂの前面側の内面に設けた微小突条３４ｂ１が密接ないし近接して、正面視された場合にテープＴ２の存在を目隠しするようにしている。縦枠３４の小口保持部３４ｂは上枠３２や下枠３３の小口保持部３２ｂ、３３ｂのようにはガラス基材３１の前面側に回りこんでおらず、正面視した場合に小口保持部３４ｂの前端面３４ｂｘが外側のガラス板３１ｂの表面３ａに対して面一な状態となるようにしている。
【００４５】
一方、縦枠３４の裏面保持部３４ａの前面３４ａ１は、ガラス基材３１の側縁に近い側にあって当該ガラス基材３１の裏面３１ｖに沿った平行面１３４ｍと、ガラス基材３１の側縁（小口）から離れるにつれて漸次裏面３１ｖから離れる方向に傾斜する傾斜面１３４ｎとから構成されており、裏面保持部３４ａに貼り付けられる両面テープＴ２は、その平行面１３４ｍに主として貼り付けられ、一部が傾斜面１３４ｎに差し掛かっている。
【００４６】
この結果、両面テープＴ１，Ｔ２同士はＬ字型に配置されることとなるが、テープＴ１，Ｔ２の端部同士は縁が切れており、これら両端部と小口保持部３４ａの入隅部との間には若干隙間が存在している。また、内側のガラス板材３１ａのコーナー部には面取がしてあり、その面取部分と両テープＴ１、Ｔ２の端部との間にも微小隙間が存在している。勿論、両面テープＴ１と傾斜面１３４ｎとの間にもくさび状の微小隙間が形成されている。
【００４７】
そして、ガラス基材３１の裏面３１ｖ側に貼り付ける両面テープＴ１と、小口３１ｗ側に取り付けるテープＴ２とを、ほぼ等幅に設定し、これらのテープＴ１，Ｔ２によってガラス基材３１の側縁を縦枠３４に分担して接着保持している。
【００４８】
以上のように、本実施形態の間仕切装置は、パネル３の側縁を支柱１に掛け止め、パネル３の上下縁をけんどん方式で支柱１，１間に配置した横枠２に沿って取り付けるようにしたものである。そして、図３及び図４に示したように、横枠２を基準として見た場合、上方に配置されるパネル３の下縁との間および下方に配置されるパネル３の上縁との間に、パネル厚み方向に重合してその外側へのパネルの変形を規制する重合部Ｘ１，Ｘ２を、当該パネル厚み方向へ変位した位置にそれぞれ設け、少なくともパネル着脱時にこれらの重合部Ｘ１，Ｘ２の高さ位置が重なるように構成している。
【００４９】
このように、横枠２と上下のパネル３との間で重合部Ｘ１，Ｘ２を設けることで、特にパネル３の幅方向中央部における反りを有効に防止することができる。そして、それらの重合部Ｘ１，Ｘ２がパネル厚み方向に変位していることで、重合部の寸法が上下に累積することが回避される。したがって、特に上枠３２側の重合部Ｘ１においてパネル着脱時に経過的な呑み込み量に対応した深い重合寸法を見込んだとしても、横枠２が大型化することを有効に防止することができる。また、横枠２が薄くなることで横枠２において上下に分断されるパネル３，３間の目地も小さくなる。この結果、本実施形態によると、パネル３をけんどん方式で中抜きできるように構成しても、パネル面の平面度が低下したりパネル間が途切れた印象を与えることを有効に回避して、精度の高い平面及びその平面の連続性を有効に担保することが可能となる。
【００５０】
特に、重合部Ｘ１においては横枠２側に設定した内向部である垂下片２３の内面にパネル３側に設定した外向部である突条３２ｓが密接に添接する構造をなし、また重合部Ｘ２においては横枠２に設定した内向部である外壁２１の内面にパネル３側に設定した外向部である外向面３３ｓが密接に添接する構造をなすため、パネル３が外側に反ろうとする動作時に上枠３２や下枠３３がそれらの重合部Ｘ１、Ｘ２において横枠２に突き当たるので、パネル３の反り防止を図る上で実効ある重合構造とすることができる。
【００５１】
この場合、横枠２の内向部である垂下片２３の内面にパネル３の外向部である突条３２ｓを押し当てるための当たり部として横枠２の外壁２１と上枠３２の溝３２ｒに臨む裏面保持部３２ｐとの間を接触させており、また横枠２の内向部である外壁２１の内面にパネル３の外向面３３ｓを押し当てるための当たり部として当該外壁２１と裏面保持部３３ｐとの間を接触させているため、重合部Ｘ１、Ｘ２においてパネル３の各外向部が横枠２の各内向部にオフセットされることになり、パネル３の変形防止がより実効あるものになる。
【００５２】
そして、横枠２の上下方向の厚み内において、下方のパネル３と重合する内向部となる垂下片２３の内面（突条２５の内面を含む）および上パネル３と重合する内向部となる外壁２１の内面を、パネル厚み方向に沿って異なる位置に一部高さ位置が重なるように設けているので、見付け面となる外壁２１側から見たときに横枠２から上下に突出するものがなく、横枠２の見え掛かりを良好にすることができる。
【００５３】
より具体的には、横枠２の見付け側となる外壁２１の上下寸法内に収まるようにして上記垂下片２３の内面及び外壁２１の内面が構成されているので、最も適切に上記の効果を奏することができる。
【００５４】
さらに、下方のパネル３と重合する内向部たる垂下片２３の内面には、その内面が臨む溝２４ｂを深くするように設けた突条２５の内面を含めて、横枠２の厚み寸法に近い領域が確保してあるので、横枠２を大型化する対策を講じる前に、横枠２内において下方のパネル３の突条３２ｓを立片３２ｔとともに深く呑み込ませるための最大ストロークを確保することができるので、大型化の防止に有効なものとなる。
【００５５】
この場合、下パネル３と横枠２の関係において、横枠２側の内向部が面（垂下片２３の内面）であり、パネル３側の外向部との間に摺動状態を確保して重合部Ｘ１がパネル着脱時のガイドを兼ねるようにしているので、パネルの変形防止のための構造を、パネル脱着時の操作性向上のためにも利用することができる。
【００５６】
特に、パネル３側の外向部が突条３２ｓであるので、摺動抵抗を極力減らして、軽快な脱着操作に資することができる。勿論、凹凸関係は横枠２側とパネル３側とで逆でもよい。
【００５７】
さらに、本実施形態では、横枠２と上方のパネル３との重合が、横枠２と下方のパネル３との重合よりも浅くなるように設定しているが、けんどん方式による脱着時には先にパネル３の下端が外れ、そのときパネル３の上端の呑み込みは一時的に深くなるため、横枠２を基準に見た場合、上方のパネル３との重合を浅くして、下方のパネル３との重合を十分にとることが理に適っており、かつ上方のパネル３との重合を浅くする分だけ、横枠２の薄肉化を促進することができる。
【００５８】
また、パネル３の上枠３２及び下枠３３に凹部３２ｒ、３３ｒを設けて横枠２を収容し、その凹部３２ｒ、３３ｒ内で重合構造を実現するようにしているので、上下のパネル３，３間に現われる横枠２の見付け寸法をより小さくして、パネル面の連続性を更に向上させることができる。
【００５９】
さらにまた、パネル３が支柱１に爪部材３５を介して支持させてあり、パネル３，３間の目地には、上パネル３を持ち上げて始めて下パネル３の爪部材３５を支柱１から外せるに足る動き代が形成されるようにしているので、けんどん方式によるパネル着脱時の動き代を巧妙に確保しつつ、目地を小さくして、パネル面の連続性を高めることができる。
【００６０】
以上を実施する上ではパネル３を一体物にしてパネル３と横枠２との間に重合部を構成することもできるが、本実施形態のパネル３は、面材であるガラス基材３１を上枠３２及び下枠３３で支持するようにしたものであり、これらの上枠３２及び下枠３３と横枠２との間に重合部Ｘ１、Ｘ２を形成しているので、面材であるガラス基材３１に枠３２，３３を取り付けない状態で搬送が行えて楽になり、また施工業者が間仕切を施工しガラス業者がガラス基材を嵌め込むという従来ステップを、施工業者のみにて間仕切の施工時に枠３２，３３を介したガラス基材３１の取り付けも含めて全て行うことができ、作業効率やコストの改善を図れる利点が得られる。
【００６１】
とりわけ、本実施形態の面材はガラス基材３１であり、光の反射で面精度の低下がはっきり現われるので、中抜き構造であってもパネル３の反りを的確に防止できる効果を得ることは、全面ガラス張りの間仕切を構成する上で極めて有用なものとなり得る。
【００６２】
なお、各部の具体的な構成は、上述した実施形態のみに限定されるものではなく、本発明の趣旨を逸脱しない範囲で種々変形が可能である。
【図面の簡単な説明】
【００６３】
【図１】本発明の一実施形態に係る間仕切装置を示す斜視図。
【図２】同概略的な分解斜視図。
【図３】同実施形態における中段部分のパネルと横枠との関係を示す縦断面図。
【図４】図３の分解斜視図。
【図５】同実施形態におけるパネルの側縁と縦枠の関係並びに支柱への取付構造を示す平断面図。
【図６】図５の分解斜視図。
【図７】同実施形態におけるパネルの下縁と巾木との関係を示す縦断面図。
【図８】図７の分解斜視図。
【図９】同実施形態におけるパネルの上縁と天井レールとの関係を示す縦断面図。
【図１０】図９の分解斜視図。
【図１１】同実施形態におけるパネルの着脱操作を説明する図。
【図１２】同実施形態におけるパネル着脱に必要な条件を説明するための図。
【図１３】同実施形態におけるパネルの側縁と縦枠との取付構造を示す拡大平面図。
【符号の説明】
【００６４】
１…支柱
２…横枠
３…パネル
３１…面材（ガラス基材）
３１ａ、３１ｂ…枠材
３２…上枠
３３…下枠
Ｘ１，Ｘ２…重合部
【図１】
2008121268.tif 000003
【図２】
2008121268.tif 000004
【図３】
2008121268.tif 000005
【図４】
2008121268.tif 000006
【図５】
2008121268.tif 000007
【図６】
2008121268.tif 000008
【図７】
2008121268.tif 000009
【図８】
2008121268.tif 000010
【図９】
2008121268.tif 000011
【図１０】
2008121268.tif 000012
【図１１】
2008121268.tif 000013
【図１２】
2008121268.tif 000014
【図１３】
2008121268.tif 000015